【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  被写体の光学像を電気信号に変換する撮像素子と、
前記被写体の輝度を測定する測光手段と、
絞りの開口径を制御する絞り制御手段と、
前記被写体との距離に関する情報を測定する測距手段と、
前記撮像素子の感度を設定する撮像感度調節手段と、
ストロボ手段にプリ発光させたときの前記測光手段の出力から、前記ストロボ手段の本発光時の発光量を演算する演算手段とを有し、
前記撮像感度調節手段は、プリ発光時は前記測距手段による距離情報に基づいて前記感度を設定し、前記本発光時は前記演算手段にて演算された発光量に基づいて前記感度を設定することを特徴とする撮像装置。
【請求項２】  前記撮像感度調節手段は前記プリ発光時と前記本発光時とで、前記感度の増加量の最大値を異ならせることを特徴とする請求項１に記載の撮像装置。
【請求項３】  前記撮像感度調節手段は前記被写体の輝度に応じて、前記本発光時における前記最大値を異ならせることを特徴とする請求項２に記載の撮像装置。
【請求項４】  被写体の光学像を電気信号に変換する撮像素子と、前記被写体の輝度を測定する測光手段と、絞りの開口径を制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段とを有する撮像装置の制御方法であって、
プリ発光時は前記測距手段による距離情報に基づいて前記感度を設定し、前記本発光時は前記演算手段にて演算された発光量に基づいて前記感度を設定することを特徴とする撮像装置の制御方法。
【請求項５】  被写体の光学像を電気信号に変換する撮像素子と、前記被写体の輝度を測定する測光手段と、絞りの開口径を制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段とを有する撮像装置を制御するためのプログラムであって、
プリ発光時は前記測距手段による距離情報に基づいて前記感度を設定し、前記本発光時は前記演算手段にて演算された発光量に基づいて前記感度を設定するステップをコンピュータに実行させるためのプログラムを格納したコンピュータ読取り可能な記録媒体。
【手続補正２】
【補正対象書類名】明細書
【補正対象項目名】０００７
【補正方法】変更
【補正の内容】
【０００７】
【課題を解決するための手段】
本発明の撮像装置は、被写体の光学像を電気信号に変換する撮像素子と、前記被写体の輝度を測定する測光手段と、絞りの開口径を制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段とを有し、前記撮像感度調節手段は、プリ発光時は前記測距手段による距離情報に基づいて前記感度を設定し、前記本発光時は前記演算手段にて演算された発光量に基づいて前記感度を設定することを特徴とする。
【手続補正３】
【補正対象書類名】明細書
【補正対象項目名】０００８
【補正方法】変更
【補正の内容】
【０００８】
また、本発明の撮像装置において、前記撮像感度調節手段は前記プリ発光時と前記本発光時とで、前記感度の増加量の最大値を異ならせることを特徴とする。
【手続補正４】
【補正対象書類名】明細書
【補正対象項目名】０００９
【補正方法】変更
【補正の内容】
【０００９】
また、本発明の撮像装置において、前記撮像感度調節手段は前記被写体の輝度に応じて、前記本発光時における前記最大値を異ならせることを特徴とする。
【手続補正５】
【補正対象書類名】明細書
【補正対象項目名】００１０
【補正方法】変更
【補正の内容】
【００１０】
また、本発明の撮像装置の制御方法は、被写体の光学像を電気信号に変換する撮像素子と、前記被写体の輝度を測定する測光手段と、絞りの開口径を制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段とを有する撮像装置の制御方法であって、プリ発光時は前記測距手段による距離情報に基づいて前記感度を設定し、前記本発光時は前記演算手段にて演算された発光量に基づいて前記感度を設定することを特徴とする。
【手続補正６】
【補正対象書類名】明細書
【補正対象項目名】００１１
【補正方法】変更
【補正の内容】
【００１１】
また、本発明のコンピュータ読取り可能な記録媒体は、被写体の光学像を電気信号に変換する撮像素子と、前記被写体の輝度を測定する測光手段と、絞りの開口径を制御する絞り制御手段と、前記被写体との距離に関する情報を測定する測距手段と、前記撮像素子の感度を設定する撮像感度調節手段と、ストロボ手段にプリ発光させたときの前記測光手段の出力から、前記ストロボ手段の本発光時の発光量を演算する演算手段とを有する撮像装置を制御するためのプログラムであって、プリ発光時は前記測距手段による距離情報に基づいて前記感度を設定し、前記本発光時は前記演算手段にて演算された発光量に基づいて前記感度を設定するステップをコンピュータに実行させるためのプログラムを格納したコンピュータ読取り可能な記録媒体である。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００５６
【補正方法】変更
【補正の内容】
【００５６】
つぎに、システム制御回路５０は撮像素子１４から、その撮像した電荷信号を読み出す。画像処理回路２０は、Ａ／Ｄ変換器１６を介して逐次読み込まれる撮影画像データを、システム制御回路５０に予め設定された複数の分割された領域毎に光束積分演算を行う。測光手段は、システム制御回路５０のメモリ５２にプログラミングされ、光束積分演算出力から１画素単位の積分値に換算した後、分割された領域の面積比率に応じた各領域毎の評価値を演算する。この各領域毎の評価値に所定の重み付けを行って、輝度（ΔＹＤＬｎ）値を算出する。
【手続補正１６】
【補正対象書類名】明細書
【補正対象項目名】００５８
【補正方法】変更
【補正の内容】
【００５８】
システム制御回路５０は、プリ発光時のゲイン（ＰＤＧ）値を＋０段に演算し直し、本発光時の仮ゲイン（ＸＤＧ）値とする。また、絞り制御値に対しても、所定距離未満であればプリ発光時の絞り制御（ＡｖＰｒｅ）値、また所定距離以上であればＡＥ制御での絞り制御（ＡｖＡＥ）値を選択し直し、本発光時の仮絞り制御（ＸＡｖ）値とする。つぎに、露出制御値算出手段を起動して、図示しないプログラム線図から、ＸＡｖ値、ＸＤＧを基に本発光時の仮シャッター制御（ＸＴｖ）値を解析して算出し直し、ＸＤＧ，ＸＡｖ，ＸＴｖを本発光仮露出制御値とする（ステップＳ３０９）。
【手続補正１７】
【補正対象書類名】明細書
【補正対象項目名】００７５
【補正方法】変更
【補正の内容】
【００７５】
【発明の効果】
以上説明したように本発明によれば、プリ発光時と本発光時とでゲイン制御を異ならせることで、適正な調光を行うことができる。